(57)【要約】      （修正有）【課題】台座からマーカーが落下するのを防止するとともに、マーカーを台座から離脱した時にマーカーの発光素子を点灯し、装着した時に消灯させる発光素子付きボールマーカーを提供する。【解決手段】台座とマーカー６はそれぞれの結合状態を保持する保持装置によって着脱自在とし、マーカーは、挿入孔８と発光素子９と電池１０とスイッチ１１とを備え、突出部３を挿入孔に挿入した時に保持装置によりマーカーと台座を結合保持しながら突出部によりスイッチを作動して発光素子を消灯させ、突出部を挿入孔から離脱し保持装置による保持を解除した時に突出部によりスイッチを作動して発光素子を点灯させるものであって、結合時には突出部が挿入孔に挿入した状態を保持装置により保持しマーカーの落下を防止する。【選択図】図４
0003184057.tif 000002
【実用新案登録請求の範囲】
【請求項１】
突出部を有する台座と、前記台座に結合するマーカーとからなり、前記台座とマーカーはそれぞれの結合状態を保持する保持装置により着脱自在とし、前記マーカーは、挿入孔とマーカー外に向けて発光する発光素子と該発光素子の電池と前記発光素子の点灯／消灯を行うスイッチとを備え、前記突出部を挿入孔に挿入した時に前記保持装置によりマーカーと台座を結合保持すると共に前記突出部によりスイッチを作動して発光素子を消灯させ、前記突出部を挿入孔から離脱し前記保持装置による保持を解除した時に前記突出部によりスイッチを作動して発光素子を点灯させることを特徴とする発光素子付きボールマーカー。
【考案の詳細な説明】
【技術分野】
【０００１】  本考案は、必要時には台座からマーカーを離脱し発光素子の発光によりボールの位置を知らせるものである。
【背景技術】
【０００２】  例えば、ゴルフの競技を行う場合には複数人のプレーヤーが同じグリーンに入りそれぞれが順番にボールを打ちホールに入るまでの打数を競うものである。【０００３】  グリーン上では、自分のボールを打つ場合もしくは、他のプレーヤーがボールを打つ場合にも自分のボールがプレーの邪魔にならないようにする為、自分のボールの静止位置に、もともと準備していたマーカーを置き、自分のボールを取り去る。次の自分のプレー時には、そのマーカーの位置に自分のボールを置いて、そのマーカーを取り去りプレーを行う。【０００４】ところが、ゴルフ競技は非常に広範囲のグリーンで行うため、他のプレーヤーが遠方からボールを打つ場合にはそのマーカーの確認ができない場合がある。このようなケースはプレーの天候が曇天の場合にも視認性が悪くなりプレーの進行に影響が出る。【０００５】  このような事情に鑑みて、マーカーに取り付けたＬＥＤを点灯させ遠方からの視認性を高めるようにしたものがある。（特許文献１）【０００６】  しかし、このＬＥＤは常時の点灯を必要とするものでなく、マーカーの不使用時には消灯し内蔵した電池の浪費を抑えるように工夫されたものが提案された。（特許文献２）
【先行技術文献】
【特許文献】
【０００７】
【特許文献１】特開２００９−２４０７１２号公報
【特許文献２】特開２００９−２４７５２０号公報
【考案の概要】
【考案が解決しようとする課題】
【０００８】  前述の特許文献１、２のいずれのマーカーの場合もＬＥＤの発光により遠方にいるプレーヤーや曇天時での視認性が良くなった。特に、特許文献２の先行技術では電池の浪費が抑えられ一つの電池で長期間使用できる点では優れている。【０００９】  また、マーカーの使用形態として、使用時には自分のボール位置をボールに置き換えて標示し、不使用時にはプレーヤーが自分の帽子や服の襟、ベルトなどに付けて常に携行するようにしている。【００１０】  このような使用形態から、マーカーの不使用時には該マーカーが落下しないように自分の帽子や服の襟、ベルトなどに取り付けた基台に磁石によって吸着させ、使用時には磁石の基台から簡単に取り外しができるようにしている。【００１１】  しかしながら、マーカーの通常の使用形態を見た時に、新たな問題点として、その機能を十分に果たしていないことが発覚した。【００１２】  それは、本来ならばマーカーの不使用時には、マーカーは磁石によって基台に吸着しており基台から落下することがないはずであるが、実際には吸着状態が悪い、マーカーが他の何か、例えばクラブに触れたような場合、或いはプレーヤーの動きが激しい場合にはマーカーへの外力が吸着力に勝って基台から外れ落下する欠点があった。
【課題を解決するための手段】
【００１３】  本考案は、突出部を有する台座と、前記台座に結合するマーカーとからなり、前記台座とマーカーはそれぞれの結合状態を保持する保持装置により着脱自在とし、前記マーカーは、挿入孔とマーカー外に向けて発光する発光素子と該発光素子の電池と前記発光素子の点灯／消灯を行うスイッチとを備え、前記突出部を挿入孔に挿入した時に前記保持装置によりマーカーと台座を結合保持すると共に前記突出部によりスイッチを作動して発光素子を消灯させ、前記突出部を挿入孔から離脱し前記保持装置による保持を解除した時に前記突出部によりスイッチを作動して発光素子を点灯させるものである。
【考案の効果】
【００１４】  本考案は、台座の突出部をマーカーの挿入孔に挿入した時に保持装置によりマーカーと台座を結合保持すると共に前記突出部によりスイッチを作動して発光素子を消灯させ、前記突出部を挿入孔から離脱し前記保持装置による保持を解除した時に前記突出部によりスイッチを作動して発光素子を点灯させるものであるから、マーカーを使用しない台座とマーカーの結合時には発光素子が消灯し無駄な電池の浪費を抑えることができる。
【図面の簡単な説明】
【００１５】
【図１】本考案の発光素子付きボールマーカーの一実施例を示すマーカーの斜視図である。
【図２】同じく基台の斜視図である。
【図３】同じく保持装置の実施例であって突出部が挿入部に挿入された保持状態を示す部分断面図である。
【図４】同じく突出部が挿入部に挿入された状態を示すマーカーの部分断面図である。
【図５】同じく基台とマーカーの結合状態であって、突出部がスイッチを作動させる状態の部分断面図である。
【図６】同じく電気回路図である。
【考案を実施するための形態】
【００１６】  本考案を図面に示す実施例に基づいて説明する。図１は本考案の発光素子付きボールマーカーの一実施例を示すマーカーの斜視図、図２は同じく基台の斜視図、図３は同じく保持装置の実施例であって突出部が挿入部に挿入された保持状態を示す部分断面図である。
【００１７】  １は図２に示すように磁石素材により形成、或いはステンレスやクロムメッキ金属のベース金属に磁性加工しカーリングしてクリップ部２（図５参照）を形成した基台で、上面には鉛直方向に突き出し先端を球状に形成した突出部３を一体成型、或いは他の部材により形成し固定している。前記突出部３には図２及び図３に示すようにスプリング４により突出部の側方に突出する如く付勢された複数個のボール５、５を設けている。
【００１８】  前記クリップ部２はプレーヤーの帽子や服の襟、ベルトなどに挟み込み固定するものである。
【００１９】  ６は前記台座に結合するマーカーで、以下の部材により構成されている。７は金属製或いは樹脂成型材よりなり底部に前記突出部３の外形寸法よりも若干大径の挿入孔８を有する円形のケース、９は前記ケース７の外周壁に露出して取り付けマーカー外に向けて発光する発光素子、１０は前記ケース７内に収納固定した前記発光素子９の電池、１１は前記発光素子の点灯／消灯を行うスイッチで、図６に示すように発光素子９に接続した固定電極板１２と電池１０に接続し常時前記固定電極板１２に接触するように付勢された可動電極板１３とから構成しており、それぞれの電極板のケースとの固定部分は絶縁状態を維持している。
【００２０】  前記可動電極板１３の遊端側は、前記挿入孔８に臨んだ位置にあり、外力が働かない状態では前述の付勢力により固定電極板１２と接触している。
前記基台６の突出部３（スプリングとボールを含む）と前記マーカー６の挿入孔８はマーカー６と基台１の結合状態を保持しマーカー６が基台から外れて落下するのを防止する保持装置１４を構成する。
【００２１】  次に使用方法について説明する。図４は突出部が挿入部に挿入された状態を示すマーカーの部分断面図、図５は基台とマーカーの結合状態であって、突出部がスイッチを作動させる状態の部分断面図である。
【００２２】  プレーを行わない時、或いはプレー中であってもマーカー６の使用が必要でない時は、図３に示すように、突出部３を挿入孔８内に挿入し基台１とマーカー６を押し付けて結合する。この時、突出部３の挿入孔８内への挿入に伴って該挿入孔の孔壁がボール５、５をスプリング４に抗して内側に押し込みボールが挿入孔の孔壁を通過するとボール５、５が外側に飛び出し基台１とマーカー６との結合状態が保持される。
【００２３】  前述の突出部３による挿入孔８内への挿入に伴い突出部の上端が可動電極板１３を押し上げ固定電極板１２との接触を断ちスイッチがＯＦＦ状態となって発光素子９を消灯させる。
【００２４】  そして、プレー中であってマーカー６の使用が必要な時は、図１及び図２に示すように、一方の手で基台１を持ち他方の手でマーカー６を持って突出部３を挿入孔８内から離脱し基台とマーカーを分離する。
この時、突出部の離脱に伴い可動電極板１３が付勢力により復帰して固定電極板１２に接触しスイッチがＯＮ状態となって発光素子９を発光させる。
【００２５】  本考案は、スイッチとしての機能を突出部が挿入孔に挿入するか否かにより可動電極と固定電極との接離を行うようにしたが、例えば、突出部を磁性化させガラス管内に封入したリードスイッチの接離を行うようにしてもよい。
【００２６】  さらに、本考案は、マーカー内に設けた電池により発光素子を発光させたが、図示していないがマーカーの表面（上面）に太陽光パネルを取り付けマーカー内の電池に充電させることは相当に考えられる範囲である。
【００２７】  そして、本考案は、基台とマーカーの結合状態を保持する保持装置として、突出部に設けたスプリング及びボールと挿入孔により構成したが、スプリング及びボールを使用せずとも挿入孔に挿入した時に突出部が拡開して挿入孔に係止される樹脂製のプラグ形体であってもよい。
【産業上の利用可能性】
【００２８】  本考案は、ゴルフのプレー時におけるボールマーカーとして提案したが、ボールを使用した競技であってプレー時に一時的にボールを取り去るようなケースがルールで決められていたり、或いは競技種目そのもののである場合にはその利用範囲が広がる。
【符号の説明】
【００２９】  １      基台
２      クリップ
３      突出部
４      スプリング
５、５  ボール
６      マーカー
７      ケース
８      挿入孔
９      発光素子
１０      電池
１１      スイッチ
１２      固定電極板
１３      可動電極板
１４      保持装置
【図１】
0003184057.tif 000003
【図２】
0003184057.tif 000004
【図３】
0003184057.tif 000005
【図４】
0003184057.tif 000006
【図５】
0003184057.tif 000007
【図６】
0003184057.tif 000008